(57)【要約】【課題】  データ再送時にＣＲＣ付加のマスク処理を実施しないように制御を行うことが可能な基地局装置を提供する。【解決手段】  基地局装置（２）は、ＨＳ−ＳＣＣＨ  ｌｅｓｓ  ｏｐｅｒａｔｉｏｎにおいて、再送データ送信時のＨＳ−ＤＳＣＨチャネルコーディングのＣＲＣ付加処理にてＨＳ−ＤＳＣＨ  ＣＲＣ  Ｍｅｔｈｏｄを切替える切替え手段（ＨＳ−ＤＳＣＨ  ＣＲＣ  Ｍｅｔｈｏｄ選択処理部２５）を有する。【効果】  本発明では、ＨＳ−ＳＣＣＨ  ｌｅｓｓ  ｏｐｅｒａｔｉｏｎ動作時、１ｓｔ  Ｔｒａｎｓｍｉｓｓｉｏｎにてデコードできなかった場合に、再送時にＨＳ−ＳＣＣＨが付随されるため、ＨＳ−ＰＤＳＣＨでのユーザ識別情報が不要となり、データ再送時にＣＲＣ付加のマスク処理を実施しないように制御を行うことができる。【選択図】      図１
2009212874.tif 000002
【特許請求の範囲】
【請求項１】
ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える切替え手段を有することを特徴とする基地局装置。
【請求項２】
前記切替え手段は、符号化処理にて前記ＣＲＣ  Ｍｅｔｈｏｄを切替えることを特徴とする請求項１記載の基地局装置。
【請求項３】
前記切替え手段は、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項１または請求項２記載の基地局装置。
【請求項４】
前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨを付随することを特徴とする請求項３記載の基地局装置。
【請求項５】
移動機に送信したＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）のデコード結果に応じて、前記最初の送信か、前記データ再送時かを判別することを特徴とする請求項３または請求項４記載の基地局装置。
【請求項６】
ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える切替え手段を有することを特徴とする移動機。
【請求項７】
前記切替え手段は、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項６記載の移動機。
【請求項８】
前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨが付随されることを特徴とする請求項７記載の移動機。
【請求項９】
ＨＳ−ＳＣＣＨ  Ｔｙｐｅ２のＳｐｅｃｉａｌ  Ｉｎｆｏｒｍａｔｉｏｎの情報から前記最初の受信か、前記データ再送かを判断することを特徴とする請求項７または請求項８記載の移動機。
【請求項１０】
基地局装置が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える第１の切替え手段を有し、
移動機が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える第２の切替え手段を有することを特徴とする移動体通信システム。
【請求項１１】
前記第１の切替え手段は、符号化処理にて前記ＣＲＣ  Ｍｅｔｈｏｄを切替えることを特徴とする請求項１０記載の移動体通信システム。
【請求項１２】
前記第１の切替え手段は、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項１０または請求項１１記載の移動体通信システム。
【請求項１３】
前記基地局装置が、前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨを付随することを特徴とする請求項１２記載の移動体通信システム。
【請求項１４】
前記基地局装置が、移動機に送信したＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）のデコード結果に応じて、前記最初の送信か、前記データ再送時かを判別することを特徴とする請求項１２または請求項１３記載の移動体通信システム。
【請求項１５】
前記第２の切替え手段は、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項１０から請求項１４のいずれか記載の移動体通信システム。
【請求項１６】
前記移動機が、前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨが付随されることを特徴とする請求項１５記載の移動体通信システム。
【請求項１７】
前記移動機が、ＨＳ−ＳＣＣＨ  Ｔｙｐｅ２のＳｐｅｃｉａｌ  Ｉｎｆｏｒｍａｔｉｏｎの情報から前記最初の受信か、前記データ再送かを判断することを特徴とする請求項１５または請求項１６記載の移動体通信システム。
【請求項１８】
基地局装置が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える第１の切替え処理を実行し、
移動機が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える第２の切替え処理を実行することを特徴とするチャネル処理制御方法。
【請求項１９】
前記第１の切替え処理において、符号化処理にて前記ＣＲＣ  Ｍｅｔｈｏｄを切替えることを特徴とする請求項１８記載のチャネル処理制御方法。
【請求項２０】
前記第１の切替え処理において、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項１８または請求項１９記載のチャネル処理制御方法。
【請求項２１】
前記基地局装置が、前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨを付随することを特徴とする請求項２０記載のチャネル処理制御方法。
【請求項２２】
前記基地局装置が、移動機に送信したＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）のデコード結果に応じて、前記最初の送信か、前記データ再送時かを判別することを特徴とする請求項２０または請求項２１記載のチャネル処理制御方法。
【請求項２３】
前記第２の切替え処理において、ＨＳ−ＤＳＣＨ  Ｔｒａｎｓｐｏｒｔ  Ｂｌｏｃｋ  ＣＲＣ  Ｍｅｔｈｏｄ１とＨＳ−ＤＳＣＨ  Ｔｒａｎｓｐｏｒｔ  Ｂｌｏｃｋ  ＣＲＣ  Ｍｅｔｈｏｄ２とを、最初の送信か、データ再送時かに応じて切替えることを特徴とする請求項１８から請求項２２のいずれか記載のチャネル処理制御方法。
【請求項２４】
前記移動機が、前記ＨＳ−ＳＣＣＨ  ｌｅｓｓ  ｏｐｅｒａｔｉｏｎ動作時に、前記最初の送信にてデコードできなかった場合に前記データ再送時にＨＳ−ＳＣＣＨが付随されることを特徴とする請求項２３記載のチャネル処理制御方法。
【請求項２５】
前記移動機が、ＨＳ−ＳＣＣＨ  Ｔｙｐｅ２のＳｐｅｃｉａｌ  Ｉｎｆｏｒｍａｔｉｏｎの情報から前記最初の受信か、前記データ再送かを判断することを特徴とする請求項２３または請求項２４記載のチャネル処理制御方法。
【発明の詳細な説明】
【技術分野】
【０００１】
本発明は基地局装置、移動機、移動体通信システム及びそれらに用いるチャネル処理制御方法に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速下りパケット伝送）を実現する基地局、移動機に適用されるＨＳＰＡ（Ｈｉｇｈ  Ｓｐｅｅｄ  Ｐａｃｋｅｔ  Ａｃｃｅｓｓ）  ｅｖｏｌｕｔｉｏｎでのＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎ動作時のチャネル符号処理及び復号処理に関する。
【背景技術】
【０００２】
ＨＳＤＰＡは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に適用された高速下りパケット伝送方式で３．５世代と呼ばれ、ピーク伝送速度を最大１４．４Ｍｂｐｓ、平均２〜３Ｍｂｐｓへと向上させる技術である。現在、このＨＳＤＰＡは、音楽配信等の高速ダウンロードのサービス等で運用されている。
【０００３】
現在、開発が進められているＨＳＰＡ  ｅｖｏｌｕｔｉｏｎ（３ＧＰＰ  Ｒｅｌｅａｓｅ７）では、後のＬＴＥ（Ｌｏｎｇ  Ｔｅｒｍ  Ｅｖｏｌｕｔｉｏｎ）に向けてスムーズな移行を提供することが検討されている。その中の１つの機能としては、パケット非伝送状態の特性改善を図るＣＰＣ（Ｃｏｎｔｉｎｕｏｕｓ  Ｐａｃｋｅｔ  Ｃｏｎｎｅｃｔｉｖｉｔｙ）がある。
【０００４】
ＣＰＣ機能の中にＨＳ−ＳＣＣＨ  ｌｅｓｓ  ｏｐｅｒａｔｉｏｎがあり、Ｓｍａｌｌ  Ｐａｃｋｅｔ（ＶｏＩＰ：Ｖｏｉｃｅ  ｏｖｅｒ  Ｉｎｔｅｒｎｅｔ  Ｐｒｏｔｏｃｏｌ）のようにデータ伝送が断続的な通信環境において、ＨＳ−ＳＣＣＨ（共有チャネル上の自分宛のデータの所在を示すシェアド制御チャネル）の利用効率を改善し、ＨＳ−ＳＣＣＨなしで運用することで効率化（収容ユーザ数の増加）を図る技術である。
【０００５】
現状のＨＳＰＡ  ｅｖｏｌｕｔｉｏｎでは、ＨＳ−ＳＣＣＨ  ｌｅｓｓ  ｏｐｅｒａｔｉｏｎを実現するために、ＨＳ−ＳＣＣＨに新しいフォーマットＴｙｐｅとＨＳ−ＤＳＣＨ符号化処理にユーザ識別情報を付加する新たなＣＲＣ（Ｃｙｃｌｉｃ  Ｒｅｄｕｎｄａｎｃｙ  Ｃｈｅｃｋ）  Ｍｅｔｈｏｄとが追加されている。
【０００６】
ＨＳ−ＳＣＣＨ  ｌｅｓｓ  ｏｐｅｒａｔｉｏｎは、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）の最初の送信（１ｓｔ  Ｔｒａｎｓｍｉｓｓｉｏｎ）に対しては、ＨＳ−ＳＣＣＨは付随しないが、１，２回目の再送（１ｓｔ／２ｎｄ  Ｒｅｔｒａｎｓｍｉｓｓｉｏｎ）に対しては、これまでのフォーマット（以下、ＨＳ−ＳＣＣＨ  Ｔｙｐｅ１）ではなく、新しいフォーマット（以下、ＨＳ−ＳＣＣＨ  Ｔｙｐｅ２）のＨＳ−ＳＣＣＨが付随する。
【０００７】
ＨＳ−ＳＣＣＨ  Ｔｙｐｅ２は、これまでの変調方式やＴＢＳ（Ｔｒａｎｓｐｏｒｔ  Ｂｌｏｃｋ  Ｓｉｚｅ）情報に加えて、先に送信した１ｓｔ  ＴｒａｎｓｍｉｓｓｉｏｎのＴＴＩ（Ｔｒａｎｓｍｉｓｓｉｏｎ  Ｔｉｍｅ  Ｉｎｔｅｒｖａｌ）情報や再送情報が含まれている（図８参照）。
【０００８】
また、ＨＳ−ＳＣＣＨ  Ｔｙｐｅ２は、ＵＥ（Ｕｓｅｒ  Ｅｑｕｉｐｍｅｎｔ）において１ｓｔ  ＴｒａｎｓｍｉｓｓｉｏｎにてＨＳ−ＰＤＳＣＨがデコードできなかった場合、そのデータをバッファリングし、１ｓｔ／２ｎｄ  Ｒｅｔｒａｎｓｍｉｓｓｉｏｎのデータと合成する。
【０００９】
尚、ＨＳ−ＰＤＳＣＨの１ｓｔ  Ｔｒａｎｓｍｉｓｓｉｏｎにおいては、ＨＳ−ＳＣＣＨが付随されないことから、ＵＥでのユーザ識別のためにチャネルコーディング内のＨＳ−ＤＳＣＨ  ＣＲＣ付加処理後に、ＵＥ−ＩＤ（Ｈ−ＲＮＴＩ：ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）によるマスク処理（ＣＲＣ  Ｍｅｔｈｏｄ２）が行われている。
【００１０】
ＨＳ−ＳＣＣＨ  ｌｅｓｓ  ｏｐｅｒａｔｉｏｎを実現するために定義されたＨＳ−ＳＣＣＨフォーマットの詳細は、３ＧＰＰ  ＴＳ２５．２１２（２００７−１１）（非特許文献３）に記載されているが、以下にＨＳ−ＳＣＣＨ  ｌｅｓｓ  ｏｐｅｒａｔｉｏｎに関する動作について説明する。
【００１１】
図８にＨＳ−ＳＣＣＨ  Ｔｙｐｅ１及びＨＳ−ＳＣＣＨ  Ｔｙｐｅ２の構成を示す。ＨＳ−ＳＣＣＨは、大きく＜Ｐａｒｔ１＞及び＜Ｐａｒｔ２＞の２つのＰａｒｔに分けられる。
【００１２】
＜Ｐａｒｔ１＞においては、ＣＣＳ（Ｃｈａｎｎｅｌａｉｚａｔｉｏｎ  Ｃｏｄｅ  Ｓｅｔ  ｉｎｆｏｒｍａｔｉｏｎ）とＭｏｄ（Ｍｏｄｕｌａｔｉｏｎ  ｓｃｈｅｍｅ  ｉｎｆｏｒｍａｔｉｏｎ）にて使用されるＣｏｄｅ情報と変調方式の情報とがＵＥに通知される。＜Ｐａｒｔ１＞に関しては、ＨＳ−ＳＣＣＨ  Ｔｙｐｅ１とＨＳ−ＳＣＣＨ  Ｔｙｐｅ２とにおいて変更はないが、ＨＳ−ＳＣＣＨ  Ｔｙｐｅ２では使用されるパラメータが限定される［ＨＳ−ＳＣＣＨ  Ｔｙｐｅ２では、変調方式がＱＰＳＫ（Ｑｕａｄｒａｔｕｒｅ  Ｐａｈｓｅ  Ｓｈｉｆｔ  Ｋｅｙｉｎｇ）のみ、物理チャネル数が１もしくは２］。
【００１３】
次に、＜Ｐａｒｔ２＞においては、ＨＳ−ＳＣＣＨ  Ｔｙｐｅ１とＨＳ−ＳＣＣＨ  Ｔｙｐｅ２とにおいてＵＥに通知するパラメータに違いある。ＨＳ−ＳＣＣＨ  Ｔｙｐｅ２においては、Ｓｐｅｃｉａｌ  Ｉｎｆｏｒｍａｔｉｏｎ  Ｔｙｐｅ（ＨＳ−ＳＣＣＨ  ｌｅｓｓ  ｏｐｅｒａｔｉｏｎであることを示す情報：“１１１１１０”固定）とＳｐｅｃｉａｌ  Ｉｎｆｏｒｍａｔｉｏｎとから構成される。
【００１４】
Ｓｐｅｃｉａｌ  Ｉｎｆｏｒｍａｔｉｏｎには、Ｔｒａｎｓｐｏｒｔ  Ｂｌｏｃｋ  ｓｉｚｅ情報、前回の送信のポインタを示す情報、再送情報（１回目の再送ｏｒ２回目の再送）が含まれる。ＨＳ−ＳＣＣＨ  Ｔｙｐｅ１との違いは、Ｔｒａｎｓｐｏｒｔ  Ｂｌｏｃｋ  ｓｉｚｅ情報が最大４つ、ＲＶ（Ｒｅｄｕｎｄａｎｃｙ  Ｖｅｒｓｉｏｎ）情報やＮＤＩ（Ｎｅｗ  Ｄａｔａ  Ｉｎｄｉｃａｔｏｒ）がないことである。
【００１５】
ＵＥ  ＣＲＣに関しては、ＵＥの識別を行うために使用するＵＥ−ＩＤ（Ｈ−ＲＮＴＩ：ＨＳ−ＤＳＣＨ  Ｒａｄｉｏ  Ｎｅｔｗｏｒｋ  ＩＤ）が上位から指定され、ＨＳ−ＳＣＣＨ  Ｔｙｐｅ１及びＨＳ−ＳＣＣＨ  Ｔｙｐｅ２ともに違いはない。また、ＨＳ−ＳＣＣＨ  Ｔｙｐｅ１及びＨＳ−ＳＣＣＨ  Ｔｙｐｅ２のチャネルコーディングフローについてもともに違いはないため、ここでは特に言及しない（非特許文献１参照）。
【００１６】
次に、ＨＳ−ＳＣＣＨ  ｌｅｓｓ  ｏｐｅｒａｔｉｏｎに適用されるＨＳ−ＤＳＣＨ  Ｔｒａｎｓｐｏｒｔ  Ｂｌｏｃｋについて説明する。Ｒｅｌｅａｓｅ７とＲｅｌｅａｓｅ５／６のＨＳ−ＤＳＣＨチャネルコーディングフローは、ＨＳ−ＤＳＣＨ  Ｔｒａｎｓｐｏｒｔ  ＢｌｏｃｋのＣＲＣ付加処理以外変更はない。図９にＨＳ−ＤＳＣＨ  Ｔｒａｎｓｐｏｒｔ  ＢｌｏｃｋのＣＲＣ  Ｍｅｔｈｏｄ１及びＣＲＣ  Ｍｅｔｈｏｄ２の構成を示す。
【００１７】
ＨＳ−ＳＣＣＨ  ｌｅｓｓ  ｏｐｅｒａｔｉｏｎの１ｓｔ  Ｔｒａｎｓｍｉｓｓｉｏｎにおいては、ＨＳ−ＳＣＣＨが付随しないために、ＵＥでは、自分宛のデータかどうかの識別ができない。そのため、ＨＳ−ＤＳＣＨコーディングのＣＲＣ付加処理において、ＵＥ−ＩＤ（Ｈ−ＲＮＴＩ）処理が追加されている。ＨＳ−ＤＳＣＨのＣＲＣビット（２４ｂｉｔ）を計算した後、ＵＥ−ＩＤにてマスク処理を実施する。この手法は、ＨＳ−ＤＳＣＨ  Ｔｒａｎｓｐｏｒｔ  Ｂｌｏｃｋ  ＣＲＣ  Ｍｅｔｈｏｄ２と呼ばれている。これに対し、Ｒｅｌｅａｓｅ５／６までの手法は、ＨＳ−ＤＳＣＨ  Ｔｒａｎｓｐｏｒｔ  Ｂｌｏｃｋ  ＣＲＣ  Ｍｅｔｈｏｄ１と呼ばれている。
【００１８】
尚、３ＧＰＰでは、１ｓｔ  ＴｒａｎｓｍｉｓｓｉｏｎにてＨＳ−ＰＤＳＣＨを受信するため、Ｃｏｄｅ情報（上位装置から指定）、変調方式はＱＰＳＫ固定、Ｔｒａｎｓｐｏｒｔ  Ｂｒｏｃｋ  Ｓｉｚｅは４つのエントリされたサイズから１つ（上位装置から指定）、ＲＶ情報は０、ＵＥ−ＩＤ（Ｈ−ＲＮＴＩ：上位装置から指定）で復号を行うことが決められている。
【００１９】
このように、ＨＳ−ＳＣＣＨ  ｌｅｓｓ  ｏｐｅｒａｔｉｏｎは、現行のＲｅｌｅａｓｅ５／６  ＨＳＤＰＡ機能でのＨＳ−ＳＣＣＨ送信・受信処理において互換性がある。また、Ｓｍａｌｌ  Ｐａｃｋｅｔ等の比較的小さいサイズのデータを送信する時に制御チャネル（ＨＳ−ＳＣＣＨ）の送信を行わないことでオーバーヘッドを減らし、さらに再送回数も２回までに絞ったシステム容量の増大を図る手段として有効である。
【００２０】
ＨＳ−ＳＣＣＨ  ｌｅｓｓ  ｏｐｅｒａｔｉｏｎ動作時は、常にＣＲＣ  Ｍｅｔｈｏｄ２にて符号化処理が実施される。ここで、これまでのＨＳ−ＳＣＣＨ  ｌｅｓｓ  ｏｐｅｒａｔｉｏｎの動作について図１０及び図１１に示すフローにて詳細に説明する。
【００２１】
まず、基地局（ＮｏｄｅＢ）は、ＨＳ−ＤＳＣＨデータがあるかどうかの確認を行う（図１０ステップＳ６１）。基地局は、データがあれば、ＨＳ−ＳＣＣＨ  ｌｅｓｓ  ｏｐｅｒａｔｉｏｎ動作がＯＮとなっているかどうかを確認する（図１０ステップＳ６２）。
【００２２】
基地局は、ＨＳ−ＳＣＣＨ  ｌｅｓｓ  ｏｐｅｒａｔｉｏｎ動作がＯＮでかつ１ｓｔ  Ｔｒａｎｓｍｉｓｓｉｏｎであれば（図１０ステップＳ６３）、ＨＳ−ＳＣＣＨの送信処理は行わず、ＨＳ−ＤＳＣＨ  ＣＲＣ  Ｍｅｔｏｈｄ２を選択し（図１０ステップＳ６５）、一連のチャネルコーディング処理を実施し（図１０ステップＳ６６）、ＨＳ−ＰＤＳＣＨを送信する（図１０ステップＳ６７）。
【００２３】
１ｓｔ  ＴｒａｎｓｍｉｓｓｉｏｎのＨＳ−ＰＤＳＣＨが正常にデコードできた場合には、ＵＥからＡＣＫが送信されるため、基地局は、ＡＣＫを受信できたかどうかを確認する（図１０ステップＳ６８）。基地局は、ＡＣＫが確認できた場合、次ＴＴＩにて送信するデータがあれば新規送信を行う（図１０ステップＳ６９）。
【００２４】
基地局は、ＡＣＫが受信できなかった場合、ＨＡＲＱ（Ｈｙｂｒｉｄ  Ａｕｔｏｍａｔｉｃ  Ｒｅｐｅａｔ  ｒｅＱｕｅｓｔ）再送処理を行う（図１０ステップＳ７０）。基地局は、１ｓｔ  Ｒｅｔｒａｎｓｍｉｓｓｉｏｎで（図１０ステップＳ７１）、１ｓｔ  Ｔｒａｎｓｍｉｓｓｉｏｎでなければ（図１０ステップＳ６３）、ＨＳ−ＳＣＣＨ  Ｔｙｐｅ２を送信する（図１０ステップＳ６４）。
【００２５】
この後、基地局は、上記の１ｓｔ  Ｔｒａｎｓｍｉｓｓｉｏｎと同様に、ＨＳ−ＤＳＣＨについて、ＣＲＣ  Ｍｅｔｏｈｄ２を選択し（図１０ステップＳ６５）、一連のチャネルコーディング処理を実施し（図１０ステップＳ６６）、ＨＳ−ＰＤＳＣＨを送信する（図１０ステップＳ６７）。
【００２６】
基地局は、２ｎｄ  Ｒｅｔｒａｎｓｍｉｓｓｉｏｎにおいても（図１０ステップＳ７２）、１ｓｔ  Ｔｒａｎｓｍｉｓｓｉｏｎでなければ（図１０ステップＳ６３）、ＨＳ−ＳＣＣＨ  Ｔｙｐｅ２を送信する（図１０ステップＳ６４）。
【００２７】
この後、基地局は、ＨＳ−ＤＳＣＨについて、ＣＲＣ  Ｍｅｔｏｈｄ２を選択し（図１０ステップＳ６５）、一連のチャネルコーディング処理を実施し（図１０ステップＳ６６）、ＨＳ−ＰＤＳＣＨを送信する（図１０ステップＳ６７）。
【００２８】
最終的に、ＨＳ−ＳＣＣＨ  ｌｅｓｓ  ｏｐｅｒａｔｉｏｎでは、再送回数込みで最大３回までの送信しか行わないため、３回目の送信が終わった時点でＨＡＲＱ再送処理にバッファリングしてあるデータを破棄する（図１０ステップＳ７３）。
【００２９】
基地局は、ＨＳ−ＳＣＣＨ  ｌｅｓｓ  ｏｐｅｒａｔｉｏｎ  Ｍｏｄｅとなっていない場合（図１０ステップＳ６２）、ＨＳ−ＳＣＣＨは必ず付随され、Ｔｙｐｅ１にて送信される（図１１ステップＳ７４）。
【００３０】
基地局は、ＨＳ−ＤＳＣＨについて、ＣＲＣ  Ｍｅｔｈｏｄ１を選択する（図１１ステップＳ７５）。この場合、送信したＨＳ−ＰＤＳＣＨのＵＥでのデコード結果（ＡＣＫ／ＮＡＣＫ）が必ずＨＳ−ＤＰＣＣＨにて送信されてくるため、基地局は、その結果にしたがって（図１１ステップＳ７８）、ＨＡＲＱ再送処理を行う。
【００３１】
基地局は、その結果がＡＣＫであれば、次ＴＴＩ送信処理を実施する（図１１ステップＳ７９）。基地局は、その結果がＮＡＣＫだった場合、最大再送回数［ＲＮＣ（Ｒａｄｉｏ  Ｎｅｔｗｏｒｋ  Ｃｏｎｔｒｏｌｌｅｒ：無線ネットワーク制御装置）指定］までＨＡＲＱ再送処理を実施する（図１１ステップＳ８０，Ｓ８１）。尚、受信側（ＵＥ）での処理は、１ｓｔ  Ｔｒａｎｓｍｉｓｓｏｎ時に、ＣＲＣ  Ｍｅｔｈｏｄ２、再送時にＣＲＣ  Ｍｅｔｈｏｄ１でデコーディングする動作となる。
【００３２】
【非特許文献１】“Ｍｕｌｔｉｐｌｅｘｉｎｇ  ａｎｄ  ｃｈａｎｎｅｌ  ｃｏｄｉｎｇ（ＦＤＤ）（Ｒｅｌｅａｓｅ  ８）  ４．６  Ｃｏｄｉｎｇ  ｆｏｒ  ＨＳ−ＳＣＣＨ  ｔｙｐｅ  １”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ２５．２１２（２００７−１１）  ｐｐ．６２−６７］
【発明の開示】
【発明が解決しようとする課題】
【００３３】
ＨＳ−ＳＣＣＨ  ｌｅｓｓ  ｏｐｅｒａｔｉｏｎ動作がＯＮとなっている場合には、１ｓｔ  ＴｒａｎｓｍｉｓｓｉｏｎにてＨＳ−ＳＣＣＨが付随されないことから、ユーザ識別のためにＨＳ−ＤＳＣＨのＣＲＣ付加後に、ＵＥ−ＩＤ（Ｈ−ＲＮＴＩ）によるマスク処理（ＨＳ−ＤＳＣＨ  ＣＲＣ  Ｍｅｔｈｏｄ２）が行われる。
【００３４】
この時、ＵＥは、１ｓｔ  Ｔｒａｎｓｍｉｓｓｉｏｎにてデコードできなかった場合、そのデータをバッファリングし、１ｓｔ／２ｎｄ  Ｒｅｔｒａｎｓｍｉｓｓｉｏｎのデータとの合成を行う必要がある。しかしながら、データ再送時においては、ＨＳ−ＳＣＣＨ  Ｔｙｐｅ２が付随されるため、ユーザ識別が可能となる。
【００３５】
そこで、本発明の目的は上記の問題点を解消し、データ再送時にＣＲＣ付加のマスク処理を実施しないように制御を行うことができる基地局装置、移動機、移動体通信システム及びそれらに用いるチャネル処理制御方法を提供することにある。
【課題を解決するための手段】
【００３６】
本発明による基地局装置は、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える切替え手段を備えている。
【００３７】
本発明による移動機は、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える切替え手段を備えている。
【００３８】
本発明による移動体通信システムは、基地局装置が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える第１の切替え手段を備え、
移動機が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える第２の切替え手段を備えている。
【００３９】
本発明によるチャネル処理制御方法は、基地局装置が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ送信時のＨＳ−ＤＳＣＨチャネルコーディングのＣＲＣ（Ｃｙｃｌｉｃ  Ｒｅｄｕｎｄａｎｃｙ  Ｃｈｅｃｋ）付加処理にてＨＳ−ＤＳＣＨ  ＣＲＣ  Ｍｅｔｈｏｄを切替える第１の切替え処理を実行し、
移動機が、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］  ｌｅｓｓ  ｏｐｅｒａｔｉｏｎにおいて、再送データ受信時の復号処理にてＨＳ−ＤＳＣＨ  ＣＲＣ（Ｃｙｃｌｉｃ  Ｒｅｄｕｎｄａｎｃｙ  Ｃｈｅｃｋ）  Ｍｅｔｈｏｄを切替える第２の切替え処理を実行している。
【発明の効果】
【００４０】
本発明は、上記のような構成及び動作とすることで、データ再送時にＣＲＣ付加のマスク処理を実施しないように制御を行うことができるという効果が得られる。
【発明を実施するための最良の形態】
【００４１】
次に、本発明の実施の形態について図面を参照して説明する。まず、本発明においては、データ再送時に、ＨＳ−ＳＣＣＨ［Ｓｈａｒｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｄ  Ｃｈａｎｎｅｌ）］が必ず付随され、ユーザ認識が可能となり、ＨＳ−ＤＳＣＨのユーザ識別情報をモニタしなくてもよいため、不要な処理を行わないために、基地局（ＮｏｄｅＢ）での符号化処理及び移動機（ＵＥ：Ｕｓｅｒ  Ｅｑｕｉｐｍｅｎｔ）での復号処理にて、ＣＲＣ（Ｃｙｃｌｉｃ  Ｒｅｄｕｎｄａｎｃｙ  Ｃｈｅｃｋ）  Ｍｅｔｈｏｄを切替えている。
【００４２】
現在、１ｓｔ  Ｔｒａｎｓｍｉｓｓｉｏｎ、データ再送時に関わらず、常にＨＳ−ＤＳＣＨ  ＣＲＣ  Ｍｅｔｈｏｄ２にて動作することになっており、本来ならば、データ再送時には、ＨＳ−ＤＳＣＨ  ＣＲＣ  Ｍｅｔｈｏｄ１にて符号処理を実施し、ＵＥ−ＩＤのマスク処理を行わない方が無駄な処理能力を消費しないはずである。
【００４３】
本発明は、ＨＳ−ＳＣＣＨ  ｌｅｓｓ  ｏｐｅｒａｔｉｏｎにおいて、再送データ送信時のＨＳ−ＤＳＣＨチャネルコーディングのＣＲＣ付加処理にてＨＳ−ＤＳＣＨ  ＣＲＣ  Ｍｅｔｈｏｄを切替える機能を有する。ＨＳ−ＳＣＣＨ  ｌｅｓｓ  ｏｐｅｒａｔｉｏｎでは、制御チャネルのオーバヘッドを改善することで、ユーザ数の収容数を増やすことが可能となる。
【００４４】
本発明では、さらに、基地局においてユーザ数が増加した場合のＨＳ−ＤＳＣＨのチャネルコーディング処理時間の短縮化を図るとともに、移動機におけるデコーディング処理時間の短縮を図っている。
【００４５】
図１は本発明の実施の形態による基地局の構成例を示すブロック図である。図１において、基地局（ＮｏｄｅＢ）２は、アンテナ部２１と、受信部（逆拡散含む）２２と、チャネル復号部２３と、ＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ      
【００４６】
ＨＳ−ＤＳＣＨ］のＡＣＫ／ＮＡＣＫ情報を抽出するＡＣＫ判定部２４と、ＨＳ−ＤＳＣＨ  ＣＲＣ  Ｍｅｔｈｏｄ選択処理部２５と、各機能部を制御する制御部［スケジューラ及びＨＡＲＱ（Ｈｙｂｒｉｄ  Ａｕｔｏｍａｔｉｃ  Ｒｅｐｅａｔ  ｒｅＱｕｅｓｔ）処理含む］２６と、送信部（拡散含む）２７と、チャネル符号化部２８と、ネットワーク部２９とを備えている。また、ＲＮＣ（Ｒａｄｉｏ  Ｎｅｔｗｏｒｋ  Ｃｏｎｔｒｏｌｌｅｒ：無線ネットワーク制御装置）１は、ＨＳ−ＤＳＣＨデータ送信制御部１１を備えている。
【００４７】
図２は本発明の実施の形態による移動機の構成例を示すブロック図である。図２において、移動機３は、アンテナ部３１と、受信部３２と、チャネル復号部３３と、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）処理部３４と、ＨＳ−ＳＣＣＨ処理部３５と、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速下りパケット伝送）制御部３６と、ＣＱＩ（Ｃｈａｎｎｅｌ  Ｑｕａｌｉｔｙ  Ｉｎｄｉｃａｔｏｒ）生成部３７と、Ｍｅｔｈｏｄ選択処理部３８と、チャネル符号化部３９と、送信部４０とを備えている。
【００４８】
図３は本発明の実施の形態による移動体通信システムの構成例を示すブロック図である。図３において、本発明の実施の形態による移動体通信システムとしては、ＨＳＤＰＡを行う移動体通信システムを想定しており、上位装置としてＲＮＣ１が基地局２と接続される（Ｉｕｂ）。
【００４９】
ＨＳＤＰＡでは、基地局２から移動機３にデータ送信するためのダウンリンク物理チャネルとして、ＨＳ−ＳＣＣＨとＨＳ−ＰＤＳＣＨとが規定されている。ＨＳ−ＳＣＣＨとＨＳ−ＰＤＳＣＨとは対で使用され、ＨＳ−ＰＤＳＣＨによってＨＳＤＰＡのパケットデータが伝送される。また、ＨＳ−ＳＣＣＨによって、対で送信されるＨＳ−ＰＤＳＣＨのパケットデータのデコード情報が伝送される。
【００５０】
一方、移動機３から基地局２にデータが送信されるアップリンク用物理チャネルとしては、ＨＳ−ＤＰＣＣＨが規定されている。ＨＳ−ＤＰＣＣＨのサブフレーム（２ｍｓ）は、ＨＳ−ＰＤＳＣＨのデコード状況を通知するＡＣＫ／ＮＡＣＫ情報と、ダウンリンクのデータ受信品質を示すＣＱＩとから構成されている。
【００５１】
基地局２では、移動機３から送信されるＨＳ−ＤＰＣＣＨのＡＣＫ／ＮＡＣＫ情報にしたがって、ＡＣＫであれば新規のパケットを送信し、ＮＡＣＫであればＨＡＲＱ再送が行われる。
【００５２】
ＨＡＲＱとは、信頼度が低い時間的に変化する回線状態を有する通信システムにおいて、よく利用される技術としてパケット再送制御を用いた自動再送要求（ＡＲＱ：Ａｕｔｏｍａｔｉｃ  Ｒｅｐｅａｔ  ｒｅＱｕｅｓｔ）方式と、誤り訂正復号（ＦＥＣ：Ｆｏｒｗａｒｄ  Ｅｒｒｏｒ  Ｃｏｒｒｅｃｔｉｏｎ）方式とを組み合わせた技術であり、３ＧＰＰ（３ｒｄ  Ｇｅｎｅｒａｔｉｏｎ  Ｐａｒｔｎｅｒｓｈｉｐ  Ｐｒｏｊｅｃｔ）に規定されている周知技術である。
【００５３】
また、基地局２では、ＣＱＩの値によって受信品質の判断を行い、ＨＳ−ＰＤＳＣＨの適切なコード数、ＴＢＳ（Ｔｒａｎｓｐｏｒｔ  Ｂｌｏｃｋ  Ｓｉｚｅ）、変調方式［ＱＰＳＫ（Ｑｕａｄｒａｔｕｒｅ  Ｐａｈｓｅ  Ｓｈｉｆｔ  Ｋｅｙｉｎｇ）もしくは１６ＱＡＭ（１６Ｑｕａｄｒａｔｕｒｅ  Ａｍｐｌｉｔｕｄｅ  Ｍｏｄｕｌａｔｉｏｎ）］が決定される。
【００５４】
基地局２では、さらに各移動機３に対して、ＨＳ−ＰＤＳＣＨ上の無線リソースの割り当て制御を行う必要があり、この割り当て方式はスケジューリングと呼ばれる。このスケジューリングを行う機能はスケジューラと呼ばれ、移動機３やＲＮＣ１から通知されるパラメータを基に送信するデータのタイミングと量とを決めて、リソース割り当て管理を行う。
【００５５】
上記のスケジューラ機能については、公知であるので、その説明を省略する。また、既存物理チャネル［ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＳＣＣＰＣＨ（Ｓｅｃｏｎｄａｒｙ  ＣＣＰＣＨ）／ＰＩＣＨ（ＰＩＣＨ）、ＰＲＡＣＨ（ＰＲＡＣＨ）、Ａ−ＤＰＣＨ（Ａ−ＤＰＣＨ）］についても、３ＧＰＰ  ＴＳ−２５．２１１（非特許文献２）にその説明及び各種物理チャネルの送信タイミングが記載されているので、その説明を省略する。
【００５６】
次に、下り送信の動作について図１を参照して説明する。基地局２でのＨＳ−ＳＣＣＨ  ｌｅｓｓ  ｏｐｅｒａｔｉｏｎ  Ｍｏｄｅは、上位から通知されるＮＢＡＰ（ＮｏｄｅＢ  Ａｐｌｉｃａｔｉｏｎ  Ｐａｒｔ）メッセージにてＨＳＤＰＡ設定が行われた時に認識しているものとする。
【００５７】
基地局２は、ＲＮＣ１のＨＳ−ＤＳＣＨデータ送信制御部１１からＨＳ−ＤＳＣＨ  ＦＰを受信する。基地局２は、ネットワーク部２９にて受信したＨＳ−ＤＳＣＨ  ＦＰの終端処理を実施する（ＨＡＲＱ処理のバッファリング処理も含む）。
【００５８】
次に、基地局２は、符号化部２８にてＨＳ−ＤＳＣＨデータのＨＳ−ＰＤＳＣＨチャネルコーディング処理を実施し、符号化されたビット系列に対して、物理チャネルにマッピングするために、レートマッチング処理を実施する。ここで、レートマッチングとは、入力のビット数と出力のビット数とが異なる場合に、出力ビット数に合わせるために、入力ビットのパンクチャリング、レピティションする処理が３ＧＰＰ  ＴＳ２５．２１２（非特許文献３）で規定されている。
【００５９】
基地局２は、符号化部２８にてレートマッチング処理を実施した後に、その信号を送信部２７を経由してアンテナ部２１から送信する。
【００６０】
基地局２は、移動機３から送信された上り信号（ＨＳ−ＤＰＣＣＨ）を、アンテナ部２１を経由して受信部２２で復調し、逆拡散処理を行った後、チャネル復号部２３で受信部２２から出力された信号を軟判定処理し、ＡＣＫ／ＮＡＣＫ情報をＡＣＫ判定部２４に、ＣＱＩ情報を制御部２６にそれぞれ通知する。
【００６１】
制御部２６では、ＣＱＩ情報によって受信品質の判断を行い、ＨＳ−ＰＤＳＣＨの適切なコード数、ＴＢＳ（Ｔｒａｎｓｐｏｒｔ  Ｂｌｏｃｋ  Ｓｉｚｅ）、変調方式を決定し、スケジューラによる無線リソース割り当て処理を行う。また、ＡＣＫ判定部２４から得られた判定情報から、ＨＳ−ＤＳＣＨ  ＣＲＣ  Ｍｅｔｈｏｄ選択処理部２５にてＭｅｔｈｏｄ１もしくはＭｅｔｈｏｄ２を選択するかの決定、新規データ送信、再送処理の制御情報を制御部２６に通知する。
【００６２】
制御部２６は、チャネル符号化部２８のＣＲＣ付加処理にて、どのＭｅｔｈｏｄを選択するかどうかの情報を設定する。制御部２６は、各部を制御するものであり（点線で示す）、各部の動作に必要な情報を提供し、また各部の起動や停止、初期化を行う。
【００６３】
図２を参照して移動機３の受信及び送信動作について説明する。移動機３でのＨＳ−ＳＣＣＨ  ｌｅｓｓ  ｏｐｅｒａｔｉｏｎ  Ｍｏｄｅは、上位から通知されるレイヤ３メッセージ（Ｒａｄｉｏ  Ｒｅｓｏｕｒｃｅ  Ｃｏｎｔｒｏｌ：ＲＲＣ）にて認識しているものとする。
【００６４】
移動機３は、基地局２から送信された信号をアンテナ部３１を経由して受信部３２で復調し、逆拡散処理を行った後、チャネル復号部３３にてＨＳ−ＳＣＣＨ及びＨＳ−ＰＤＳＣＨの軟判定出力信号を取得する。ＨＳ−ＳＣＣＨ処理部３５は、ＨＳ−ＳＣＣＨをデコードし、デコードが成功したかどうかをＨＳＤＰＡ制御部３６に通知する。デコードが成功した場合には、さらにＨＳ−ＰＤＳＣＨのデコード情報も通知する。
【００６５】
Ｍｅｔｈｏｄ選択処理部３８においては、ＨＳ−ＳＣＣＨ  ｌｅｓｓ  ｏｐｅｒａｔｉｏｎ  ＭｏｄｅがＯＮの場合、１ｓｔ／２ｎｄ  Ｒｅｔｒａｎｓｍｉｓｓｉｏｎ時において、ＨＳ−ＳＣＣＨ  Ｔｙｐｅ２のＳｐｅｃｉａｌ  Ｉｎｆｏｒｍａｔｉｏｎ  Ｔｙｐｅが“１１１１１０”であることを確認し、その後のＳｐｅｃｉａｌ  Ｉｎｆｏｒｍａｔｉｏｎの情報を取得する。この時、Ｍｅｔｈｏｄ選択処理部３８は、Ｓｐｅｃｉａｌ  Ｉｎｆｏｒｍａｔｉｏｎの情報から最初の受信か再送かを判断し、ＨＳ−ＤＳＣＨ  ＣＲＣ  Ｍｅｔｈｏｄの選択処理を行い、その情報もＨＳＤＰＡ制御部３６へ通知する。
【００６６】
ＣＱＩ生成部３７は、ＰＣＰＩＣＨ（Ｐｒｉｍａｒｙ  Ｃｏｍｍｏｎ  Ｐｉｌｏｔ  Ｃｈａｎｎｅｌ）の入力を受けて伝播環境を示すＳＩＲ（Ｓｉｇｎａｌ  ｔｏ  Ｉｎｔｅｒｆｅｒｅｎｃｅ  Ｒａｔｉｏ）を算出し、最終的にＣＱＩ値を算出してＨＳＤＰＡ制御部３６へ通知する。
【００６７】
ＨＳ−ＰＤＳＣＨ処理部３４は、ＱＰＳＫ及び１６ＱＡＭ復調器を持ち、ＨＳ−ＰＤＳＣＨの入力を受けて復調処理を行う。その後、ＨＳ−ＰＤＳＣＨ処理部３４は、デインタリーバ処理を行い、レートデマッチング処理（レートマッチングの逆の処理）を実施する。ＨＳ−ＰＤＳＣＨ処理部３４は、レートデマッチング処理後、ＨＳＤＰＡ制御部３５からのＨＳ−ＰＤＳＣＨデコード情報とともに、ＨＳ−ＰＤＳＣＨをデコードし、そのＣＲＣ結果をＨＳＤＰＡ制御部３５へ通知する。
【００６８】
ＨＳ−ＤＰＣＣＨのエンコード処理を行うチャネル符号化部３８は、ＨＳＤＰＡ制御部３５からのＡＣＫ／ＮＡＣＫ及びＣＱＩ値を受けて、ＨＳ−ＤＰＣＣＨを生成する。ＨＳＤＰＡ制御部３５は、上記各部を制御するものであり（点線で示す）、各部の動作に必要な情報を提供し、また各部の起動や停止、初期化を行う。
【００６９】
図４及び図５は本発明の実施の形態におけるＨＳ−ＤＳＣＨ  Ｔｒａｎｓｐｏｒｔ  ＢｌｏｃｋのＣＲＣ  Ｍｅｔｈｏｄ１及びＭｅｔｈｏｄ２の選択動作を示すフローチャートであり、図６及び図７は本発明の実施の形態におけるＨＳ−ＤＳＣＨ  ＣＲＣ  Ｍｅｔｈｏｄの選択処理を示すフローチャートである。これら図１〜図７を参照して本発明の実施の形態による基地局２及び移動機３の動作について説明する。まず、図４及び図５を参照して基地局２におけるＨＳ−ＤＳＣＨ  ＣＲＣ  Ｍｅｔｈｏｄ選択処理部２５の動作について説明する。
【００７０】
基地局２は、ＲＮＣ１からＨＳ−ＤＳＣＨデータを受信すると（図４ステップＳ１）、ＨＳ−ＳＣＣＨ  ｌｅｓｓ  ｏｐｅｒａｔｉｏｎ  Ｍｏｄｅとなっているかどうかを確認する（図４ステップＳ２）。ＨＳ−ＳＣＣＨ  ｌｅｓｓ  ｏｐｅｒａｔｉｏｎ  Ｍｏｄｅは、上位からＮＢＡＰ経由で通知されているものとする。
【００７１】
基地局２は、ＨＳ−ＳＣＣＨ  ｌｅｓｓ  ｏｐｅｒａｔｉｏｎ  ＭｏｄｅがＯＮでかつそのユーザにとって最初の送信（１ｓｔ  Ｔｒａｎｓｍｉｓｓｉｏｎ処理）だった場合（図４ステップＳ３）、最初のＨＳ−ＰＤＳＣＨ送信においてＨＳ−ＳＣＣＨが付随されないため、ＣＲＣ  Ｍｅｔｈｏｄ２を選択する（図４ステップＳ５）。基地局２は、ＣＲＣ  Ｍｅｔｈｏｄ２を選択後、一連のチャネルコーディングを実施する（図４ステップＳ６）。
【００７２】
基地局２は、ＨＳ−ＳＣＣＨ  ｌｅｓｓ  ｏｐｅｒａｔｉｏｎ  ＭｏｄｅがＯＮでかつそのユーザにとって最初の送信でない場合、ＨＳ−ＳＣＣＨ（Ｔｙｐｅ２）送信を行う（図４ステップＳ４）。
【００７３】
また、ＨＳ−ＳＣＣＨ  ｌｅｓｓ  ｏｐｅｒａｔｉｏｎ  ＭｏｄｅがＯＮ時において、移動機３が最初のＨＳ−ＰＤＳＣＨ送信を正常にデコードできた場合に、ＡＣＫを送信するため、基地局２は、最初のＨＳ−ＰＤＳＣＨ送信を行ってから（図４ステップＳ７）、移動機３からＡＣＫを受信できたかどうかを確認する（図４ステップＳ８）。
【００７４】
基地局２は、ＡＣＫを確認できた場合、次ＴＴＩにて送信するデータがあれば新規送信を行う（図４ステップＳ９）。基地局２は、ＡＣＫを受信できなかった場合、ＨＡＲＱ再送処理を行う（図４ステップＳ１０）。この時、基地局２は、１ｓｔ  Ｒｅｔｒａｎｓｍｉｓｓｉｏｎである場合（図４ステップＳ１１）、ＣＲＣ  Ｍｅｔｏｈｄ１を選択し（図４ステップＳ５）、チャネルコーディングを実施する（図４ステップＳ６）。
【００７５】
基地局２は、１ｓｔ  ＲｅｔｒａｎｓｍｉｓｓｉｏｎにてＨＳ−ＰＤＳＣＨ送信後、ＡＣＫを受信しなかった場合、２ｎｄ  Ｒｅｔｒａｎｓｍｉｓｓｉｏｎを行うと（図４ステップＳ１２）、ＣＲＣ  Ｍｅｔｏｈｄ１を選択し（図４ステップＳ５）、チャネルコーディングを実施する（図４ステップＳ６）。
【００７６】
基地局２は、ＨＳ−ＳＣＣＨ  ｌｅｓｓ  ｏｐｅｒａｔｉｏｎでは、再送回数込みで最大３回までの送信しか行わないため、３回目の送信が終わった時点でＨＡＲＱ再送処理にバッファリングしてあるデータを破棄する（図４ステップＳ１３）。
【００７７】
また、基地局２は、ＨＳ−ＳＣＣＨ  ｌｅｓｓ  ｏｐｅｒａｔｉｏｎ  Ｍｏｄｅとなっていない場合（図４ステップＳ２）、ＨＳ−ＳＣＣＨが必ず付随され、Ｔｙｐｅ１にて送信する（図５ステップＳ１４）。基地局２は、ＨＳ−ＰＤＳＣＨについて、ＣＲＣ  Ｍｅｔｈｏｄ１を選択し（図５ステップＳ１５）、一連のチャネルコーディングを実施し（図５ステップＳ１６）、ＨＳ−ＰＤＳＣＨ送信を行う（図５ステップＳ１７）。
【００７８】
この場合、基地局２から送信したＨＳ−ＰＤＳＣＨの移動機３でのデコード結果（ＡＣＫ／ＮＡＣＫ）が必ずＨＳ−ＤＰＣＣＨにて送信されてくるため、その結果にしたがってＨＡＲＱ再送処理を行う。
【００７９】
つまり、基地局２は、移動機３でのデコード結果がＡＣＫであれば（図５ステップＳ１８）、次ＴＴＩ送信処理を実施する（図５ステップＳ１９）。また、基地局２は、移動機３でのデコード結果がＮＡＣＫであれば（図５ステップＳ１８）、最大再送回数（ＲＮＣ１指定）までＨＡＲＱ再送処理を実施する（図５ステップＳ２０，Ｓ２１）。基地局２は、最大再送回数になると（図５ステップＳ２０）、ＨＡＲＱ再送処理にバッファリングしてあるデータを破棄する（図５ステップＳ２２）。
【００８０】
次に、図６及び図７を参照して移動機３におけるＭｅｔｈｏｄ選択処理部３８の動作について説明する。ここで、移動機３は、ＲＮＣ１からＨＳ−ＳＣＣＨ  ｌｅｓｓ  ｏｐｅｒａｔｉｏｎ  ＭｏｄｅがＯＮと指定されている場合、ＨＳ−ＳＣＣＨ  ｌｅｓｓ  ｏｐｅｒａｔｉｏｎで動作する。
【００８１】
移動機３は、ＨＳ−ＳＣＣＨ  ｌｅｓｓ  ｏｐｅｒａｔｉｏｎ  ＭｏｄｅがＯＦＦの場合（図６ステップＳ３１）、ＨＳ−ＳＣＣＨとＨＳ−ＰＤＳＣＨとが必ず対となって送信されてくるため、Ｒｅｌｅａｓｅ５／６に相当するＨＳＤＰＡ受信処理を行う（図６ステップＳ３２）。尚、本実施の形態においては、Ｒｅｌｅａｓｅ５／６に相当するＨＳＤＰＡ受信処理については言及しない。
【００８２】
次に、移動機３は、ＨＳ−ＳＣＣＨ  ｌｅｓｓ  ｏｐｅｒａｔｉｏｎ  ＭｏｄｅがＯＮの場合（図６ステップＳ３１）、１ｓｔ  Ｒｅｃｅｉｖｅ処理かどうかの確認を実施する（図６ステップＳ３３）。
【００８３】
移動機３は、１ｓｔ  Ｒｅｃｅｉｖｅ処理だった場合、ＨＳ−ＳＣＣＨが付随されないため、ＨＳ−ＤＳＣＨのＣＲＣ計算においてＵＥ−ＩＤマスク処理ありで実施し、専用のパラメータ（ＣＣＳ：ＲＮＣ指定、Ｍｏｄ．：ＱＰＳＫ固定、ＴＢＳ：上位指定、ＲＶ情報０固定）でデコード処理を実施する（図６ステップＳ３４，Ｓ３５）。
【００８４】
移動機３は、デコード処理結果がＯＫだった場合（図６ステップＳ３６）、基地局２に対してＨＳ−ＤＰＣＣＨにてＡＣＫ情報を通知する（図６ステップＳ３７）。移動機３は、デコード処理結果がＮＧだった場合（図６ステップＳ３６）、ＨＡＲＱ処理のためにそのデータをバッファリングしておき（図６ステップＳ３８）、次ＴＴＩ受信処理を行う（図６ステップＳ３９）。
【００８５】
一方、移動機３は、１ｓｔ  Ｒｅｃｅｉｖｅ処理でなかった場合、基地局２からの再送処理となるため、ＨＳ−ＳＣＣＨ（Ｔｙｐｅ２）が付随される。この時、移動機３は、ＨＳ−ＳＣＣＨ（Ｔｙｐｅ２）のＳｐｅｃｉａｌ  Ｉｎｆｏｒｍａｔｉｏｎ  Ｔｙｐｅが“１１１１１０”であることから（図７ステップＳ４０）、ＨＳ−ＳＣＣＨ  ｌｅｓｓ  ｏｐｅｒａｔｉｏｎであることを確認する。移動機３は、それ以外の値だった場合、その後のデコード処理を行わず、バッファをクリアする。
【００８６】
移動機３は、Ｓｐｅｃｉａｌ  Ｉｎｆｏｒｍａｔｉｏｎ  ＴｙｐｅにてＨＳ−ＳＣＣＨ  ｌｅｓｓ  ｏｐｅｒａｔｉｏｎであった場合、Ｓｐｅｃｉａｌ  Ｉｎｆｏｒｍａｔｉｏｎ  のＲｅＴＸ  ＩＤ（１ｂｉｔ）から基地局２からの１回目の再送（ＲｅＴＸ  ＩＤ＝０）なのか、２回目の再送（ＲｅＴＸ  ＩＤ＝１）なのかを確認する（図７ステップＳ４１）。この詳細な動作としては、前回の送信ポインタを示すＰｒｅｖｉｕｓ  ＴＸ  Ｐｏｉｎｔｅｒも参照する必要があるが、ここではその説明を省略する。
【００８７】
移動機３は、１回目の再送（ＲｅＴＸ  ＩＤ＝０）だった場合、ＨＳ−ＳＣＣＨ（Ｔｙｐｅ２）のデコード情報をＨＳＤＰＡ制御部３６に通知し（図７ステップＳ４３）、ＨＳ−ＤＳＣＨ  ＣＲＣ  Ｍｅｔｈｏｄ１を選択し（図７ステップＳ４４）、チャネルデコーディング処理を実施する（図７ステップＳ４５）。
【００８８】
移動機３は、そのデコード処理結果がＯＫだった場合（図７ステップＳ４６）、ＨＳ−ＤＰＣＣＨにてＡＣＫ情報を通知し（図７ステップＳ４７）、ＨＡＲＱ処理にて１ｓｔデータと合成し（図７ステップＳ４８）、次ＴＴＩ処理受信処理を実施する（図６ステップＳ３９）。
【００８９】
移動機３は、デコード処理結果がＮＧだった場合（図７ステップＳ４６）、ＨＳ−ＤＰＣＣＨにてＮＡＣＫ情報を通知し（図７ステップＳ４９，Ｓ５０）、ＨＡＲＱ処理にてデータ保存を行い（図７ステップＳ５１）、次ＴＴＩ処理受信処理を実施する（図６ステップＳ３９）。
【００９０】
移動機３は、Ｓｐｅｃｉａｌ  ＩｎｆｏｒｍａｔｉｏｎのＲｅＴＸ  ＩＤ（１ｂｉｔ）が２回目の再送（ＲｅＴＸ  ＩＤ＝１）だった場合、前回ＲｅＴＸ  ＩＤ＝０のデータを受信したかどうかを確認する（図７ステップＳ４２）。移動機３は、前回ＲｅＴＸ  ＩＤ＝０のデータを受信しているのであれば、３回目のデータ受信と判断し、ＨＳ−ＳＣＣＨ（Ｔｙｐｅ２）のデコード情報をＨＳＤＰＡ制御部３６に通知し（図７ステップＳ４３）、ＨＳ−ＤＳＣＨ  ＣＲＣ  Ｍｅｔｈｏｄ１を選択し（図７ステップＳ４４）、チャネルデコーディング処理を実施する（図７ステップＳ４５）。
【００９１】
移動機３は、そのデコード処理結果がＯＫだった場合（図７ステップＳ４６）、ＨＳ−ＤＰＣＣＨにてＡＣＫ情報を通知し（図７ステップＳ４７）、ＨＡＲＱ処理にて１ｓｔ  ＲｅＴＸデータと合成し（図７ステップＳ４８）、次ＴＴＩ処理受信処理を実施する（図６ステップＳ３９）。
【００９２】
移動機３は、２回目の再送（ＲｅＴＸ  ＩＤ＝１）だった場合、前回ＲｅＴＸ  ＩＤ＝０のデータを受信していなかった場合、バッファをクリアする（図７ステップＳ５２）。
【００９３】
このように、本実施の形態では、ＨＳ−ＳＣＣＨ  ｌｅｓｓ  ｏｐｅｒａｔｉｏｎ動作時、１ｓｔ  Ｔｒａｎｓｍｉｓｓｉｏｎにてデコードできなかった場合に、再送時にＨＳ−ＳＣＣＨが付随されるため、ＨＳ−ＰＤＳＣＨでのユーザ識別情報が不要となり、再送時にＣＲＣ付加のマスク処理を実施しないように制御を行うことができる。よって、本実施の形態では、基地局２でのチャネルコーディング処理及び移動機３でのデコーディング処理時間の短縮が可能である。
【００９４】
また、本実施の形態では、ＨＳ−ＳＣＣＨ  ｌｅｓｓ  ｏｐｅｒａｔｉｏｎが、制御チャネルのオーバーヘッドを改善し、ユーザ数の収容数を増やすことを目的としているため、基地局２においてユーザ数が増加した場合において効果を発揮する。
【００９５】
さらに、本実施の形態では、１ｓｔ  Ｔｒａｎｓｍｉｓｓｉｏｎか再送かでＣＲＣマスク処理のＯＮ／ＯＦＦを判断することができるため、新たに大きな回路変更も少なく、実現がしやすさという利点がある。
【図面の簡単な説明】
【００９６】
【図１】本発明の実施の形態による基地局の構成例を示すブロック図である。
【図２】本発明の実施の形態による移動機の構成例を示すブロック図である。
【図３】本発明の実施の形態による移動体通信システムの構成例を示すブロック図である。
【図４】本発明の実施の形態におけるＨＳ−ＤＳＣＨ  Ｔｒａｎｓｐｏｒｔ  ＢｌｏｃｋのＣＲＣ  Ｍｅｔｈｏｄ１及びＭｅｔｈｏｄ２の選択動作を示すフローチャートである。
【図５】本発明の実施の形態におけるＨＳ−ＤＳＣＨ  Ｔｒａｎｓｐｏｒｔ  ＢｌｏｃｋのＣＲＣ  Ｍｅｔｈｏｄ１及びＭｅｔｈｏｄ２の選択動作を示すフローチャートである。
【図６】本発明の実施の形態におけるＨＳ−ＤＳＣＨ  ＣＲＣ  Ｍｅｔｈｏｄの選択処理を示すフローチャートである。
【図７】本発明の実施の形態におけるＨＳ−ＤＳＣＨ  ＣＲＣ  Ｍｅｔｈｏｄの選択処理を示すフローチャートである。
【図８】本発明に関連する技術におけるＨＳ−ＳＣＣＨ  Ｔｙｐｅ１及びＴｙｐｅ２の構成を示す図である。
【図９】本発明に関連する技術におけるＨＳ−ＤＳＣＨ  Ｔｒａｎｓｐｏｒｔ  ＢｌｏｃｋのＣＲＣ  Ｍｅｔｈｏｄ１及びＭｅｔｈｏｄ２の構成を示す図である。
【図１０】本発明に関連する技術におけるＨＳ−ＳＣＣＨ  ｌｅｓｓ  ｏｐｅｒａｔｉｏｎの動作を示すフローチャートである。
【図１１】本発明に関連する技術におけるＨＳ−ＳＣＣＨ  ｌｅｓｓ  ｏｐｅｒａｔｉｏｎの動作を示すフローチャートである。
【符号の説明】
【００９７】
１  ＲＮＣ
２  基地局（ＮｏｄｅＢ）
３  移動機
１１  ＨＳ−ＤＳＣＨデータ送信制御部
２１，３１  アンテナ部
２２，３２  受信部
２３，３３  チャネル復号部
２４  ＡＣＫ判定部
２５  ＨＳ−ＤＳＣＨ  ＣＲＣ  Ｍｅｔｈｏｄ選択処理部
２６  制御部
２７，４０  送信部
２８，３９  チャネル符号化部
２９  ネットワーク部
３４  ＨＳ−ＰＤＳＣＨ処理部
３５  ＨＳ−ＳＣＣＨ処理部
３６  ＨＳＤＰＡ制御部
３７  ＣＱＩ生成部
３８  Ｍｅｔｈｏｄ選択処理部
【図１】
2009212874.tif 000003
【図２】
2009212874.tif 000004
【図３】
2009212874.tif 000005
【図４】
2009212874.tif 000006
【図５】
2009212874.tif 000007
【図６】
2009212874.tif 000008
【図７】
2009212874.tif 000009
【図８】
2009212874.tif 000010
【図９】
2009212874.tif 000011
【図１０】
2009212874.tif 000012
【図１１】
2009212874.tif 000013